(57)【特許請求の範囲】
【請求項１】
コーナー用型枠パネルと、該コーナー用型枠パネルの両側方縁部にそれぞれ連結される第１及び第２の平面状型枠パネルと、該第１及び第２の平面状型枠パネルの背面にそれぞれ配置される第１及び第２の支保工と、該第１及び第２の支保工のうち、前記平面状型枠パネルのパネル幅を超えて延びる第１及び第２の延設部分に当接される第１及び第２の平面状当接面と前記コーナー用型枠パネルの背面に当接されるコーナー当接面とが形成され該第１及び第２の延設部分並びに前記コーナー用型枠パネルで囲まれた空間内に配置される押さえ部材と、前記第１の延設部分、前記押さえ部材及び前記第２の延設部分を互いに固定する固定手段とからなることを特徴とする型枠構造。
【請求項２】
コーナー用型枠パネルと、該コーナー用型枠パネルの両側方縁部にそれぞれ連結される第１及び第２の平面状型枠パネルと、該第１及び第２の平面状型枠パネルの背面にそれぞれ配置される第１及び第２の支保工と、該第１及び第２の支保工のうち、前記平面状型枠パネルのパネル幅を超えて延びる第１及び第２の延設部分に当接される第１及び第２の平面状当接面と前記コーナー用型枠パネルの背面に当接されるコーナー当接面とが形成され該第１及び第２の延設部分並びに前記コーナー用型枠パネルで囲まれた空間内に配置される押さえ部材と、前記第１の延設部分及び前記第２の延設部分を互いに固定する所定の固定手段とからなることを特徴とする型枠構造。
【請求項３】
コーナー用型枠パネルの背面に当接されるコーナー当接面と、前記コーナー用型枠パネルの両側方縁部にそれぞれ連結された第１及び第２の平面状型枠パネルの背面にそれぞれ配置される第１及び第２の支保工のうち、前記各平面状型枠パネルのパネル幅を超えて延びる第１及び第２の延設部分にそれぞれ当接される第１及び第２の平面状当接面とが形成されるとともに、所定の締付け用ロッドを貫通させる貫通孔を設けてなり、該締付け用ロッドを前記貫通孔に貫通させるとともにその両端を前記第１及び第２の延設部分に締付け状態にてそれぞれ定着できるように構成したことを特徴とする押さえ部材。
【請求項４】
コーナー用型枠パネルの背面に当接されるコーナー当接面と、前記コーナー用型枠パネルの両側方縁部にそれぞれ連結された第１及び第２の平面状型枠パネルの背面にそれぞれ配置される第１及び第２の支保工のうち、前記各平面状型枠パネルのパネル幅を超えて延びる第１及び第２の延設部分にそれぞれ当接される第１及び第２の平面状当接面とが形成されてなることを特徴とする押さえ部材。
【請求項５】
前記第１又は第２の延設部分に基端側が固定された所定のフックの先端が係止される係止凹部を設けた請求項３又は請求項４記載の押さえ部材。
【請求項６】
コーナー用型枠パネルと該コーナー用型枠パネルの両側方縁部にそれぞれ連結される第１及び第２の平面状型枠パネルとを建て込み、第１及び第２の平面状当接面とコーナー当接面とが形成された押さえ部材を該第１及び第２の平面状当接面が前記第１及び第２の平面状型枠パネルの背面にそれぞれ配置された第１及び第２の支保工のうち、前記平面状型枠パネルのパネル幅を超えて延びる第１及び第２の延設部分にそれぞれ当接されるようにかつ前記コーナー当接面が前記コーナー用型枠パネルの背面に当接されるように前記第１及び第２の延設部分並びに前記コーナー用型枠パネルで囲まれた空間内に配置し、前記第１の延設部分、前記押さえ部材及び前記第２の延設部分を所定の固定手段で互いに固定することを特徴とする型枠組立方法。
【請求項７】
コーナー用型枠パネルと該コーナー用型枠パネルの両側方縁部にそれぞれ連結される第１及び第２の平面状型枠パネルとを建て込み、第１及び第２の平面状当接面とコーナー当接面とが形成された押さえ部材を該第１及び第２の平面状当接面が前記第１及び第２の平面状型枠パネルの背面にそれぞれ配置された第１及び第２の支保工のうち、前記平面状型枠パネルのパネル幅を超えて延びる第１及び第２の延設部分にそれぞれ当接されるようにかつ前記コーナー当接面が前記コーナー用型枠パネルの背面に当接されるように前記第１及び第２の延設部分並びに前記コーナー用型枠パネルで囲まれた空間内に配置し、前記第１の延設部分及び前記第２の延設部分を所定の固定手段で互いに固定することを特徴とする型枠組立方法。
【請求項８】
前記第１又は第２の平面状型枠パネルの建込みに先だち、該第１又は第２の平面状型枠パネルの背面に前記第１又は第２の支保工を先行配置するとともに、前記第１及び第２の延設部分のうち、先行配置された支保工の延設部分に前記押さえ部材を先行して取り付ける請求項６又は請求項７記載の型枠組立方法。
【発明の詳細な説明】
【０００１】
【発明の属する技術分野】
本発明は、主として橋脚のコンクリート躯体を構築する際に用いる型枠構造及びそれに用いる押さえ部材並びに型枠組立方法に関する。
【０００２】
【従来の技術】
ＲＣ等のコンクリート橋脚の躯体を構築する際、高橋脚についてはスリップフォーム等の工法で施工され、中低橋脚については、在来方法でコンクリート打設が行われることが多く、かかる在来のコンクリート打設においては、例えば数ｍごとに全高を分割し、各施工リフトごとに配筋、型枠建込み、コンクリート打設及び型枠脱型といった一連の作業を高さ方向に繰り返し行うのが一般的である。
【０００３】
ここで、橋脚の躯体をその水平断面が矩形状をなすように構築する場合、全体から受ける圧迫感を低減したりデザイン性を与えたりすることを目的として、そのコーナー部に適度な丸みを付けたり面取りすることが多い。
【０００４】
このように全体が矩形断面でコーナー部に例えば丸みが付けられたコンクリート躯体を構築するには、互いに対向する二枚の型枠パネルを直交方向に二組配置するとともに、隣り合う型枠パネル、例えば長方形断面であれば長手方向に配置された型枠パネルと短手方向に配置された型枠パネルとの間に上述したコーナー部の丸みに合うように湾曲形成された湾曲型枠パネルを挿入配置し、しかる後にコンクリートを打設を行う。
【０００５】
【発明が解決しようとする課題】
ここで、湾曲型枠パネルの背面には、内側に打設されたコンクリートの圧力を側方支持するための支保工が当然必要となるが、従来、中空丸パイプなどを湾曲型枠パネルの曲率に合わせて曲げ加工し、これをフォームタイ（商品名）等の型枠締付けボルトに固定していた。
【０００６】
しかしながら、互いに対向配置された二枚の平面型枠パネルであれば、該平面型枠パネルの間に該パネルに直交するように多数の型枠締付けボルトを平行配置し、それらの両端を上述の平面型枠パネルの背面にそれぞれ配置された支保工に固定すれば足りるのに対し、湾曲型枠パネルの背面に設けられた支保工の場合には、型枠締付けボルトを平行に配置することができないために該型枠締付けボルト同士あるいは鉄筋や鉄筋架台との間で干渉が生じるとともに、型枠締付けボルトの他端についてはこれを例えば鉄筋架台に溶接等で別途固定しなければならない。
【０００７】
そのため、施工手順が煩雑となり、その結果として型枠工事に時間と手間がかかるとともに、型枠を設置する精度にも自ずと限度があるという問題を生じていた。そして、かかる問題は、コーナー部が面取りされたコンクリート躯体を構築する場合にも同様に生じる。
【０００８】
本発明は、上述した事情を考慮してなされたもので、コーナー部に丸みが付けられたり面取りされたコンクリート躯体を構築するにあたり、その型枠工事を迅速かつ容易に行うことが可能な型枠構造及びそれに用いる押さえ部材並びに型枠組立方法を提供することを目的とする。
【０００９】
【課題を解決するための手段】
上記目的を達成するため、本発明に係る型枠構造は請求項１に記載したように、コーナー用型枠パネルと、該コーナー用型枠パネルの両側方縁部にそれぞれ連結される第１及び第２の平面状型枠パネルと、該第１及び第２の平面状型枠パネルの背面にそれぞれ配置される第１及び第２の支保工と、該第１及び第２の支保工のうち、前記平面状型枠パネルのパネル幅を超えて延びる第１及び第２の延設部分に当接される第１及び第２の平面状当接面と前記コーナー用型枠パネルの背面に当接されるコーナー当接面とが形成され該第１及び第２の延設部分並びに前記コーナー用型枠パネルで囲まれた空間内に配置される押さえ部材と、前記第１の延設部分、前記押さえ部材及び前記第２の延設部分を互いに固定する固定手段とからなるものである。
【００１０】
また、本発明に係る型枠構造は請求項２に記載したように、コーナー用型枠パネルと、該コーナー用型枠パネルの両側方縁部にそれぞれ連結される第１及び第２の平面状型枠パネルと、該第１及び第２の平面状型枠パネルの背面にそれぞれ配置される第１及び第２の支保工と、該第１及び第２の支保工のうち、前記平面状型枠パネルのパネル幅を超えて延びる第１及び第２の延設部分に当接される第１及び第２の平面状当接面と前記コーナー用型枠パネルの背面に当接されるコーナー当接面とが形成され該第１及び第２の延設部分並びに前記コーナー用型枠パネルで囲まれた空間内に配置される押さえ部材と、該押さえ部材が前記第１及び第２の平面状当接面にてそれぞれ前記第１及び第２の延設部分に当接されるとともに前記コーナー当接面にて前記コーナー用型枠パネルの背面に当接されるように前記第１の延設部分及び前記第２の延設部分を互いに固定する所定の固定手段とからなるものである。
【００１１】
また、本発明に係る押さえ部材は請求項３に記載したように、コーナー用型枠パネルの背面に当接されるコーナー当接面と、前記コーナー用型枠パネルの両側方縁部にそれぞれ連結された第１及び第２の平面状型枠パネルの背面にそれぞれ配置される第１及び第２の支保工のうち、前記各平面状型枠パネルのパネル幅を超えて延びる第１及び第２の延設部分にそれぞれ当接される第１及び第２の平面状当接面とが形成されるとともに、所定の締付け用ロッドを貫通させる貫通孔を設けてなり、該締付け用ロッドを前記貫通孔に貫通させるとともにその両端を前記第１及び第２の延設部分に締付け状態にてそれぞれ定着できるように構成したものである。
【００１２】
また、本発明に係る押さえ部材は請求項４に記載したように、コーナー用型枠パネルの背面に当接されるコーナー当接面と、前記コーナー用型枠パネルの両側方縁部にそれぞれ連結された第１及び第２の平面状型枠パネルの背面にそれぞれ配置される第１及び第２の支保工のうち、前記各平面状型枠パネルのパネル幅を超えて延びる第１及び第２の延設部分にそれぞれ当接される第１及び第２の平面状当接面とが形成されてなるものである。
【００１３】
また、本発明に係る押さえ部材は、前記第１又は第２の延設部分に基端側が固定された所定のフックの先端が係止される係止凹部を設けたものである。
【００１４】
また、本発明に係る型枠組立方法は請求項６に記載したように、コーナー用型枠パネルと該コーナー用型枠パネルの両側方縁部にそれぞれ連結される第１及び第２の平面状型枠パネルとを建て込み、第１及び第２の平面状当接面とコーナー当接面とが形成された押さえ部材を該第１及び第２の平面状当接面が前記第１及び第２の平面状型枠パネルの背面にそれぞれ配置された第１及び第２の支保工のうち、前記平面状型枠パネルのパネル幅を超えて延びる第１及び第２の延設部分にそれぞれ当接されるようにかつ前記コーナー当接面が前記コーナー用型枠パネルの背面に当接されるように前記第１及び第２の延設部分並びに前記コーナー用型枠パネルで囲まれた空間内に配置し、前記第１の延設部分、前記押さえ部材及び前記第２の延設部分を所定の固定手段で互いに固定するものである。
【００１５】
また、本発明に係る型枠組立方法は請求項７に記載したように、コーナー用型枠パネルと該コーナー用型枠パネルの両側方縁部にそれぞれ連結される第１及び第２の平面状型枠パネルとを建て込み、第１及び第２の平面状当接面とコーナー当接面とが形成された押さえ部材を該第１及び第２の平面状当接面が前記第１及び第２の平面状型枠パネルの背面にそれぞれ配置された第１及び第２の支保工のうち、前記平面状型枠パネルのパネル幅を超えて延びる第１及び第２の延設部分にそれぞれ当接されるようにかつ前記コーナー当接面が前記コーナー用型枠パネルの背面に当接されるように前記第１及び第２の延設部分並びに前記コーナー用型枠パネルで囲まれた空間内に配置し、前記第１の延設部分及び前記第２の延設部分を所定の固定手段で互いに固定するものである。
【００１６】
また、本発明に係る型枠組立方法は、前記第１又は第２の平面状型枠パネルの建込みに先だち、該第１又は第２の平面状型枠パネルの背面に前記第１又は第２の支保工を先行配置するとともに、前記第１及び第２の延設部分のうち、先行配置された支保工の延設部分に前記押さえ部材を先行して取り付けるものである。
【００１７】
本発明に係る型枠構造及びそれに用いる押さえ部材並びに型枠組立方法においては、まず、コーナー用型枠パネルと該コーナー用型枠パネルの両側方縁部にそれぞれ連結される第１及び第２の平面状型枠パネルとを所定位置に建て込むとともに、第１の平面状型枠パネルの背面には第１の支保工を、第２の平面状型枠パネルの背面には第２の支保工をそれぞれ配置する。
【００１８】
ここで、第１の支保工は、第１の平面状型枠パネルのパネル幅よりも長く形成してあるとともに、第２の支保工も、第２の平面状型枠パネルのパネル幅よりも長く形成してあり、これらのパネル幅を超えて延びる第１の延設部分及び第２の延設部分は、後述するようにコーナー用型枠パネルの支保工として機能する。
【００１９】
次に、第１の延設部分、第２の延設部分及びコーナー用型枠パネルで囲まれた三角形状の空間内に押さえ部材を配置する。押さえ部材を配置する時期については、上述したコーナー用型枠パネル及び第１及び第２の平面状型枠パネルの建込み前（先行取付け）、建込みと同時及び建込み後のいずれでもよい。なお、本明細書において三角形状というときには、幾何学上で言うところの三角形のみを意味するのではなく、あくまで全体形状が三角形に類似するという意味であり、例えば頂点部分に切り欠きがある場合（この場合には、幾何学的には多角形、例えば五角形となる）をはじめ、斜辺相当部分が直線ではない場合も含むものとする。
【００２０】
ここで、押さえ部材には、第１及び第２の平面状当接面とコーナー当接面とが形成してあり、上述した三角形状の空間内に配置するにあたっては、該第１及び第２の平面状当接面が第１及び第２の延設部分にそれぞれ当接されるようにかつコーナー当接面がコーナー用型枠パネルの背面に当接されるように配置する。
【００２１】
次に、第１の延設部分、押さえ部材及び第２の延設部分を固定手段で互いに固定し、又は、第１の延設部分及び第２の延設部分を固定手段で互いに固定する。
【００２２】
このようにすると、コーナー用型枠パネルは、押さえ部材を介して第１及び第２の延設部分に側方支持される。すなわち、第１及び第２の延設部分がコーナー用型枠パネルの支保工として機能することとなり、かくして、従来のようにコーナー用型枠パネル専用の支保工が不要になるとともに、その結果として、該支保工を側方支持するための型枠締付けボルトを取り付ける必要もなくなる。
【００２３】
コーナー用型枠パネルや第１及び第２の平面状型枠パネルは、単体のパネルで構成してもよいし、躯体の規模が大きい場合には、所定のパネルユニットを相互に多数連結してなる大型パネルとして構成してもよい。
【００２４】
コーナー用型枠パネルは、構築しようとするコンクリート躯体の断面形状に合わせて任意に構成すればよく、例えばコーナー部に丸みを付ける場合には、コーナー用型枠パネルを例えば湾曲加工された鋼板を用いて構成すればよいし、該コーナー部を面取りする場合には、折曲げ鋼板を用いて構成すればよい。
【００２５】
第１及び第２の支保工は、第１及び第２の平面状型枠パネルを建て込んだ後でその背面に配置するようにしてもかまわないが、上述したような大型パネルとして第１及び第２の平面状型枠パネルを構成する場合には、該平面状型枠パネルとともに地組する、すなわちパネルユニットを地上にて大型パネルに組み上げて平面状型枠パネルとし、該平面状型枠パネルの背面に第１及び第２の支保工をやはり地上にて配置して固定し、これを大型クレーンで吊り込んで建て込むことができる。
【００２６】
押さえ部材は、第１及び第２の延設部分に当接される第１及び第２の平面状当接面とコーナー用型枠パネルの背面に当接されるコーナー当接面とが形成され、該第１及び第２の延設部分並びにコーナー用型枠パネルで囲まれた空間内に配置されるものである限り、その構成や形状は任意であるが、例えば、直角を含む三角形状の底板及び天板を対向配置し、該直角を挟む位置に二枚の側板を垂直にあてがって固定し、該側板をそれぞれ第１及び第２の平面状当接面とするとともに、斜辺相当部分に別の側板を垂直にあてがって固定し、該側板をコーナー当接面とすることができる。
【００２７】
なお、斜辺相当部分に固定される側板については、コーナー用型枠パネルの外面形状に応じて形成するものとし、該コーナー用型枠パネルが湾曲形成されたものであるならば、該側板も同じ曲率で湾曲形成し、折曲げ形成されたものであるならば、該側板も同様な折曲げ角度を有するように形成する。
【００２８】
第１の延設部分、押さえ部材及び第２の延設部分を互いに固定する固定手段は、例えば押さえ部材に所定の貫通孔を設けておき、該貫通孔に締付け用ロッドを貫通させて該締付け用ロッドの両端を第１及び第２の延設部分にそれぞれ締付け状態にて定着できるように構成することが考えられる。
【００２９】
一方、第１の延設部分及び第２の延設部分を互いに固定する固定手段は、例えば締付け用ロッドの両端を第１及び第２の延設部分にそれぞれ締付け状態にて定着できるように構成することが考えられ、押さえ部材に貫通孔を設ける必要はない。
【００３０】
ちなみに、かかる構成では、締付け用ロッドを締め付けると、第１及び第２の延設部分が互いに引き寄せられるように固定されるため、押さえ部材には、かかる締付け用ロッドの締付け作用による反力が第１及び第２の延設部分及びコーナー用型枠パネルの背面から作用する。すなわち、押さえ部材は、三方向から圧縮力を受けることになるため、三角形状空間から抜け落ちるおそれはない。
【００３１】
かかる構成は、三角形状の空間が比較的小さい場合に適した構成と言える。
【００３２】
ここで、押さえ部材に関しては上述したように、コーナー用型枠パネルと第１及び第２の平面状型枠パネルとを建て込んだ後で配置するようにしてもかまわないが、前記第１又は第２の平面状型枠パネルの建込みに先だち、該第１又は第２の平面状型枠パネルの背面に前記第１又は第２の支保工を先行配置するとともに、前記第１及び第２の延設部分のうち、先行配置された支保工の延設部分に前記押さえ部材を先行して取り付けるようにしてもよい。
【００３３】
かかる構成によれば、第１又は第２の平面状型枠パネルの建込みが終了した段階で上述の押さえ部材が第１又は第２の延設部分に既に取り付けられていることとなるので、押さえ部材の取付けが容易となる。
【００３４】
ここで、第１又は第２の延設部分に押さえ部材を予め取り付けるにあたっては、所定のフックの基端側を該延設部分に固定するとともに、該フックの先端を押さえ部材に設けられた係止凹部に係止するようにすればよい。
【００３５】
なお、第１又は第２の延設部分に押さえ部材を予め取り付ける場合には、コーナー用型枠パネルについても第１又は第２の平面状型枠パネルに先行取付けし、かかる状態で該平面状型枠パネルを建て込むようにするのが望ましい。
【００３６】
【発明の実施の形態】
以下、本発明に係る型枠構造及びそれに用いる押さえ部材並びに型枠組立方法の実施の形態について、添付図面を参照して説明する。なお、従来技術と実質的に同一の部品等については同一の符号を付してその説明を省略する。
【００３７】
（第１実施形態）
【００３８】
図１は、第１実施形態に係る型枠構造を示した水平断面図である。同図に示すように、本実施形態に係る型枠構造１は、矩形水平断面をなす橋脚のコンクリート躯体を構築するための型枠構造であって、そのコンクリート打設領域の四隅に配置されるコーナー用型枠パネル２と、該コーナー用型枠パネルの両側方縁部に互いに直角配置されるようにそれぞれ連結される第１の平面状型枠パネル３及び第２の平面状型枠パネル４と、第１の平面状型枠パネル３の背面に水平方向に配置される第１の支保工５と、第２の平面状型枠パネル４の背面に水平方向に配置される第２の支保工６と、第１の支保工５、６のうち、平面状型枠パネル３、４のパネル幅Ｗ１、Ｗ２を超えてそれぞれ延びる第１の延設部分７、第２の延設部分８とコーナー用型枠パネル２とで囲まれた三角形状の空間内に配置される押さえ部材９と、第１の延設部分７、押さえ部材９及び第２の延設部分８を互いに固定する固定手段としての締付け用ロッド１０から概ね構成してある。
【００３９】
ここで、第１の支保工５は、第１の平面状型枠パネル３のパネル幅Ｗ１よりも長く形成してあるとともに、第２の支保工も、第２の平面状型枠パネルのパネル幅Ｗ２よりも長く形成してあるため、これらのパネル幅を超えて延びる第１の延設部分７及び第２の延設部分８は、後述するようにコーナー用型枠パネル２の支保工として機能する。
【００４０】
平面状型枠パネル３、４やコーナー用型枠パネル２は、単体のパネルで構成してもよいし、橋脚の規模が大きい場合には、背面側に補剛リブを突設してなる鋼製パネルユニットを相互に多数連結してなる大型パネルとして構成することができる。なお、コーナー用型枠パネル２は、構築しようとする橋脚のコーナー部に合わせて湾曲加工しておく。
【００４１】
押さえ部材９は、図２でよくわかるように、斜辺相当部分が湾曲形状に置き換えられた直角を含む三角形状の底板１１及び天板１２を対向配置し、該直角を挟む位置に二枚の側板１３、１４を垂直にあてがって固定するとともに、斜辺相当部分には、コーナー用型枠パネル２の曲率に合わせて湾曲形成された側板１５を垂直にあてがって固定してなり、側板１３は、第１の延設部分７に当接される第１の平面状当接面、側板１４は、第２の延設部分８に当接される第２の平面状当接面としてそれぞれ機能するとともに、側板１５は、コーナー用型枠パネル２の背面に当接されるコーナー当接面として機能する。
【００４２】
ここで、押さえ部材９の側板１３、１４には、締付け用ロッド１０を貫通させるための貫通孔１６をそれぞれ設けてあり、該締付け用ロッドの両端を第１の延設部分７及び第２の延設部分８に締付け状態にてそれぞれ定着できるように構成してあるとともに、底板１１及び天板１２には、第１の延設部分７、第２の延設部分８に基端側が固定されたフックの先端を係止するための係止凹部としての係止孔１７、１８をそれぞれ設けてある。
【００４３】
なお、平面状型枠パネル３は、平面状型枠パネル３、３として対向配置してあり、型枠締付けボルト２２を該パネルと直交する方向に配置してその両端を平面状型枠パネル３、３の背面に取り付けられた鉛直方向支保工２１に固定してある。同様に、平面状型枠パネル４は、平面状型枠パネル４、４として対向配置してあり、型枠締付けボルト２４を該パネルと直交する方向に配置してその両端を平面状型枠パネル４、４の背面に取り付けられた鉛直方向支保工２３に固定してある。
【００４４】
次に、押さえ部材９を用いて型枠構造１を構築する型枠組立方法の手順を以下に説明する。なお、本実施形態では、比較的大規模な橋脚を構築することを前提とし、各型枠パネルを、所定のパネルユニットを水平方向あるいは鉛直方向に適宜連結してなる大型パネルに組み上げて構成するものとする。
【００４５】
本実施形態に係る型枠組立方法においては、まず、例えば１５０ｃｍ×１５０ｃｍのパネルユニットを縦方向に４枚、横方向に４枚となるように連結した大型パネルを２つ地組してこれを第２の平面状型枠パネル４、４とするとともに、該平面状型枠パネルを建て込む前にそれらの背面に第２の支保工６及び鉛直支保工２３をそれぞれ順次重ねて先行配置し固定する。
【００４６】
ここで、コーナー用型枠パネル２、２を第２の平面状型枠パネル４の両側方縁部に先行取付けしておくとともに、第２の支保工６の両端近傍に位置する第２の延設部分８、８に押さえ部材９をそれぞれ先行取付けしておく。
【００４７】
第２の延設部分８に押さえ部材９を予め取り付けるにあたっては、図３に示すように、まず、溝型鋼で構成された第２の延設部分８と該延設部分を補剛すべく背中合わせに配置された補剛用溝型鋼４１の側面に押さえ部材９の側板１４を当接し、次いで第２の延設部分８及び補剛用溝型鋼４１を抱き込むように２本のフック３３を配置してそれらの基端側を取付けプレート３１に通すとともに、該フックの先端を押さえ部材９の底板１１及び天板１２に設けられた係止孔１８、１８にそれぞれ係止し、かかる状態でフック３３、３３の基端側にナット３２、３２をねじ込んで締め付けることによって、押さえ部材９を第２の延設部分８に仮止めする。なお、補剛用溝型鋼４１は、フック３３、３３の取付け安定性の向上にも寄与する。
【００４８】
次に、上述したようにコーナー用型枠パネル２、第２の支保工６及び押さえ部材９が先行取付けされた第２の平面状型枠パネル４、４を例えば大型クレーンで吊り込んで所定位置に建て込み、図４に示すように対向配置された状態にて型枠締付けボルト２４で固定する。このように建て込まれた第２の平面状型枠パネル４、４の側面図を図５に示す。
【００４９】
次に、第２の平面状型枠パネル４と同様にして、例えば１５０ｃｍ×１５０ｃｍのパネルユニットを縦方向に４枚連結した大型パネルを２つ地組してこれを第１の平面状型枠パネル３、３とするとともに、該平面状型枠パネルを建て込む前にそれらの背面に第１の支保工５及び鉛直支保工２１をそれぞれ順次重ねて先行配置し固定する。
【００５０】
次に、第１の平面状型枠パネル３、３を例えば大型クレーンで吊り込んで所定位置に建て込む。
【００５１】
次に、図１に示したように、第１の平面状型枠パネル３、３同士を型枠締付けボルト２２で固定するとともに、先行建込みされているコーナー用型枠パネル２の側方縁部と第１の平面状型枠パネル３の側方縁部とを相互に連結する。
【００５２】
また、かかる作業と相前後して、図６に示すように第１の延設部分７と該延設部分を補剛すべく該延設部分に背中合わせに配置された補剛用溝型鋼４１とを押さえ部材９の側板１３に当接させる。
【００５３】
次に、かかる状態で締付け用ロッド１０を第１の延設部分７と補剛用溝型鋼４１との隙間から押さえ部材９の側板１３、１４に形成された貫通孔１６、１６に通してこれを貫通させ、さらに第２の延設部分８とこれを補剛する補剛用溝型鋼４１との隙間を貫通させる。そして、締付け用ロッド１０の両端にＬ型台座４３及び角形台座４４をそれぞれ通した上、ナット４５をねじ込んで締結し、第１の延設部分７、押さえ部材９及び第２の延設部分８を相互に固定する。
【００５４】
図７は、かかる作業が終了した状態を第１の平面状型枠パネル３の側から見た側面図である。なお、このように型枠工事が終了した後は、各型枠パネルで取り囲まれた内側領域にコンクリートを打設することとなる。
【００５５】
以上説明したように、本実施形態に係る型枠構造及びそれに用いる押さえ部材並びに型枠組立方法によれば、コーナー用型枠パネル２が押さえ部材９を介して第１の延設部分７及び第２の延設部分８に側方支持される、すなわち、第１の延設部分７及び第２の延設部分８がコーナー用型枠パネル２の支保工として機能することとなる。
【００５６】
そのため、従来のようにコーナー用型枠パネル専用の支保工が不要になるとともに、その結果として、該支保工を側方支持するための型枠締付けボルトを取り付ける必要もなくなり、かくして、コーナー部が湾曲形成されたコンクリート躯体のための型枠工事を効率よく行うことが可能となる。
【００５７】
また、本実施形態に係る型枠構造及びそれに用いる押さえ部材並びに型枠組立方法によれば、第１の平面状型枠パネル３及び第２の平面状型枠パネル４の建込みに先だち、押さえ部材９を先行して取り付けるようにしたので、足場を使った押さえ部材９の作業量を低減することが可能となり、型枠工事の効率化及び安全性の向上を図ることが可能となる。
【００５８】
本実施形態では特に言及しなかったが、各型枠パネルで取り囲まれた内部のコンクリート躯体を鉄筋コンクリート構造とするか、中空鋼管の回りにコンクリートを打設する鋼管コンクリート構造とするかといった点については任意であることは言うまでもない。
【００５９】
また、本実施形態では、橋脚のコンクリート躯体のコーナー部に丸みを付ける場合について説明したが、面取りする場合にも本発明を適用することは言うまでもなく、かかる場合には、図８に示すように、コーナー用型枠パネル２に代えて、折曲げ鋼板等で構成したコーナー用型枠パネル５１を用いるとともに、該コーナー用型枠パネルの折曲げ状態に合うように斜辺相当部分を直線とした三角形状の押さえ部材５２を用いることができる。
【００６０】
また、本実施形態では、橋脚に適用することを前提としたが、本発明はかかる用途に限定されるものではないし、その躯体形状についても任意であり、コーナー部に丸みを付けたり面取りしたりする断面であれば、正方形断面はもちろんのこと、中央部が膨らんだ異形水平断面や、多角形断面に本発明を適用することができる。もちろん、かかる場合において、コーナー用型枠パネルの縁部接線が本実施形態のように直角である必要はないことは言うまでもない。また、躯体側壁が鉛直である必要はなく、例えばオーバーハングした壁のように躯体側壁が非鉛直面を形成するような場合にも本発明を適用することができる。
【００６１】
また、本実施形態では、締付け用ボルト１０を固定手段としたが、強度面で問題がないのであればこれを省略し、フック３３、３３に固定手段としての機能を兼用させるようにしてもよい。かかる場合においては、第２の延設部分８の側で行った取付け手順と同様、第１の延設部分７の側でもフック３３を用いることとなる。すなわち、溝型鋼で構成された第１の延設部分７と該延設部分を補剛すべく背中合わせに配置された補剛用溝型鋼４１の側面に押さえ部材９の側板１３を当接し、次いで第１の延設部分７及び補剛用溝型鋼４１を抱き込むように２本のフック３３を配置してそれらの基端側を取付けプレート３１に通すとともに、該フックの先端を押さえ部材９の底板１１及び天板１２に設けられた係止孔１７、１７にそれぞれ係止し、かかる状態でフック３３、３３の基端側にナット３２、３２をねじ込んで締め付けるようにすればよい。
【００６２】
また、本実施形態では、第１の延設部分７や第２の延設部分８を補剛するとともにフック３３、３３の取付け安定性の面を考慮して、補剛用溝型鋼４１を該延設部分に並設するようにしたが、場合によっては、かかる補剛用溝型鋼４１を省略してもよい。さらにこれに関連して、第１の延設部分や第２の延設部分を本実施形態のように溝型鋼とする必要はなく、固定手段の設置に支障がない範囲において、溝型鋼に代えてＨ型鋼や中空角形鋼管などを使用することが可能である。一方、フックの取付け安定性や締付け用ボルトの設置の便宜を重視するのであれば、溝型鋼を背中合わせで使用する構成に代えて、例えば２本の角形バタ材を所定の間隔で配置する構成とすることも考えられる。
【００６３】
図９は、変形例に係る延設部分を示した詳細側面図であり、同図（ａ）は溝型鋼６１単体で、同図（ｂ）はＨ型鋼６２で、同図（ｃ）は角形バタ材６３、６３でそれぞれ延設部分を構成した例である。なお、同図（ａ）、（ｂ）においては、フック３３、３３は、第１の延設部分及び第２の延設部分の両方で使用することにより、上述した仮止め作用のみならず、本発明の固定手段としても機能させることが可能であり、強度に問題がなければ、締付け用ボルトを省略することができる。また、同図（ｃ）は、角形バタ材６３、６３の間に締付け用ボルト１０を通すようにしてもよいし、（ａ）、（ｂ）と同様、フック３３、３３に固定手段としての機能を兼用させるようにしてもよい。
【００６４】
（第２実施形態）
【００６５】
第１実施形態では、押さえ部材９の側板１３、１４に締付け用ロッド１０を貫通させるための貫通孔１６をそれぞれ設け、該締付け用ロッドの両端を第１の延設部分７及び第２の延設部分８に締付け状態にてそれぞれ定着できるように構成したが、例えばコンクリート打設領域の四隅に配置されるコーナー用型枠パネルのＲが小さい場合には、必ずしも押さえ部材に締付け用ロッドを貫通させる必要はない。
【００６６】
以下、かかる構成を第２実施形態として説明する。なお、第２実施形態の説明において第１実施形態と実質的に同一の部品等については、同一の符号を付してその説明を省略する。
【００６７】
図１０は、第２実施形態に係る型枠構造及びそれに用いる押さえ部材を示した図である。同図でわかるように、本実施形態に係る型枠構造は、矩形水平断面をなす橋脚のコンクリート躯体を構築するための型枠構造であって、そのコンクリート打設領域の四隅に配置されるコーナー用型枠パネル７１と、該コーナー用型枠パネルの両側方縁部に互いに直角配置されるようにそれぞれ連結される第１の平面状型枠パネル３及び第２の平面状型枠パネル４と、第１の平面状型枠パネル３の背面に水平方向に配置される第１の支保工５と、第２の平面状型枠パネル４の背面に水平方向に配置される第２の支保工６と、第１の支保工５、６のうち、平面状型枠パネル３、４のパネル幅Ｗ１、Ｗ２を超えてそれぞれ延びる第１の延設部分７、第２の延設部分８とコーナー用型枠パネル７１とで囲まれた三角形状の空間内に配置される押さえ部材７２と、第１の延設部分７及び第２の延設部分８を互いに固定する固定手段としての締付け用ロッド１０とから概ね構成してあり、押さえ部材７２には押さえ部材９とは異なり、締付け用ロッド１０を貫通させるための貫通孔１６を設けていない。
【００６８】
押さえ部材７２は、貫通孔１６を設けていない点を除けば、第１実施形態の押さえ部材９とほぼ同様の構成であって、斜辺相当部分が湾曲形状に置き換えられた直角を含む三角形状の底板１１及び天板１２を対向配置し、該直角を挟む位置に二枚の側板１３、１４を垂直にあてがって固定するとともに、斜辺相当部分には、コーナー用型枠パネル７１の曲率に合わせて湾曲形成された側板１５を垂直にあてがって固定してなり、側板１３は、第１の延設部分７に当接される第１の平面状当接面、側板１４は、第２の延設部分８に当接される第２の平面状当接面としてそれぞれ機能するとともに、側板１５は、コーナー用型枠パネル７１の背面に当接されるコーナー当接面として機能する。
【００６９】
なお、押さえ部材７２の底板１１及び天板１２にも第１実施形態と同様、第１の延設部分７、第２の延設部分８に基端側が固定されたフックの先端を係止するための係止凹部としての係止孔１７、１８をそれぞれ設けておくようにしてもよい。
【００７０】
本実施形態に係る押さえ部材７２を用いて上述した型枠構造を構築する型枠組立方法の手順については、上述した実施形態とほぼ同様なので、ここではその詳細な説明を省略するが、第２の支保工６の両端近傍に位置する第２の延設部分８、８に押さえ部材７２をそれぞれ先行取付けするにあたっては、押さえ部材７２が小型軽量であるため、フック３３による取付けに代えて、例えば粘着テープを用いて取り付けることも可能である。
【００７１】
また、第１の延設部分７及び第２の延設部分８を相互に固定するにあたっては、第１の延設部分７と該延設部分を補剛すべく該延設部分に背中合わせに配置された補剛用溝型鋼４１とを押さえ部材７２の側板１３に当接させ、次いで、かかる状態で締付け用ロッド１０を第１の延設部分７と補剛用溝型鋼４１との隙間から第２の延設部分８とこれを補剛する補剛用溝型鋼４１との隙間に貫通させた上、締付け用ロッド１０の両端にＬ型台座４３及び角形台座４４をそれぞれ通し、ナット４５をねじ込んで締結するようにすればよい。
【００７２】
以上説明したように、本実施形態に係る型枠構造及びそれに用いる押さえ部材並びに型枠組立方法によれば、第１実施形態と同様、コーナー用型枠パネル７１が押さえ部材７２を介して第１の延設部分７及び第２の延設部分８に側方支持される、すなわち、第１の延設部分７及び第２の延設部分８がコーナー用型枠パネル７１の支保工として機能することとなる。
【００７３】
そのため、従来のようにコーナー用型枠パネル専用の支保工が不要になるとともに、その結果として、該支保工を側方支持するための型枠締付けボルトを取り付ける必要もなくなり、かくして、コーナー部が湾曲形成されたコンクリート躯体のための型枠工事を効率よく行うことが可能となる。
【００７４】
なお、他の作用効果についても、第１実施形態と同様、本実施形態の構成において同様に奏するとともに、第１実施形態の変形例についても本実施形態で同様に適用することができるが、ここではその詳細な説明を省略する。
【００７５】
ちなみに、橋脚のコンクリート躯体のコーナー部を面取りする場合における変形例を図１１に示す。かかる変形例においては同図に示すように、コーナー用型枠パネル７１に代えて、折曲げ鋼板等で構成したコーナー用型枠パネル８１を用いるとともに、該コーナー用型枠パネルの折曲げ状態に合うように斜辺相当部分を直線とした三角形状の押さえ部材８２とすればよい。
【００７６】
【発明の効果】
以上述べたように、本発明に係る型枠構造及びそれに用いる押さえ部材並びに型枠組立方法によれば、コーナー用型枠パネルが押さえ部材を介して第１の延設部分及び第２の延設部分に側方支持される、すなわち、第１の延設部分及び第２の延設部分がコーナー用型枠パネルの支保工として機能することとなる。そのため、従来のようにコーナー用型枠パネル専用の支保工が不要になるとともに、その結果として、該支保工を側方支持するための型枠締付けボルトを取り付ける必要もなくなり、かくして、コーナー部が湾曲形成されたコンクリート躯体のための型枠工事を効率よく行うことが可能となる。
【００７７】
【図面の簡単な説明】
【図１】本実施形態に係る型枠構造を示した水平断面図。
【図２】本実施形態に係る押さえ部材を示した図であり、（ａ）は平面図、（ｂ）は側面図。
【図３】本実施形態に係る型枠組立方法にしたがって型枠構造を構築する様子を示した作業図であり、（ａ）は押さえ材９を第２の延設部分８に仮止めした様子を示した平面図、（ｂ）はＡ―Ａ線方向から見た矢視図。
【図４】引き続き本実施形態に係る型枠組立方法にしたがって型枠構造を構築する様子を示した作業図。
【図５】図４のＢ―Ｂ線方向から見た矢視図。
【図６】引き続き本実施形態に係る型枠組立方法にしたがって型枠構造を構築する様子を示した作業図。
【図７】型枠組立が終了した状態を第１の平面状型枠パネル３の側から見た側面図。
【図８】変形例に係る型枠構造を示した水平断面図。
【図９】別の変形例に係る型枠構造を示した詳細側面図。
【図１０】第２実施形態に係る押さえ部材を示した平面図。
【図１１】変形例に係る型枠構造及びそれに用いる押さえ部材を示した平面図。
【符号の説明】
１                          型枠構造
２、５１、７１、８１        コーナー用型枠パネル
３                          第１の平面状型枠パネル
４                          第２の平面状型枠パネル
５                          第１の支保工
６                          第２の支保工
７                          第１の延設部分
８                          第２の延設部分
９、５２、７２、８２        押さえ部材
１０                        締付け用ボルト（固定手段）
１３                                                側板（第１の平面状当接面）
１４                                                側板（第２の平面状当接面）
１５                        側板（コーナー当接面）
１６                                                貫通孔
１７、１８                  係止孔（係止凹部）
３３                                                フック（固定手段）
６１、６２、６３                        第１又は第２の延設部分
【図１】
0003582648.tif 000002
【図２】
0003582648.tif 000003
【図３】
0003582648.tif 000004
【図４】
0003582648.tif 000005
【図５】
0003582648.tif 000006
【図６】
0003582648.tif 000007
【図７】
0003582648.tif 000008
【図８】
0003582648.tif 000009
【図９】
0003582648.tif 000010
【図１０】
0003582648.tif 000011
【図１１】
0003582648.tif 000012